(57)【特許請求の範囲】
【請求項１】
アイウェアであって、
フレームと、
前記フレームから遠位に延びる１つ以上のステムと、
前記フレームと前記１つ以上のステムとのうちの１つ以上の中に配置された１つ以上のプロセッサと、
前記１つ以上のステムの中に配置され、前記１つ以上のプロセッサと共に動作可能な１つ以上の近接センサ部品であって、各近接センサ部品が物体からの赤外線放出を受信するための赤外線信号受信器を備える１つ以上の近接センサ部品と、
を備え、前記１つ以上のステムは各々、こめかみ部分と耳係合部分を備え、前記耳係合部分は、前記赤外線放出から１つまたは複数の受信光線を形成するように構成されており、前記１つ以上の近接センサ部品が、前記耳係合部分によって形成された１つまたは複数の受信光線を用いてアイウェアに対する物体の場所を検出するとともに、１つまたは複数の物体が熱検出半径内にあるかどうかを検出するように前記耳係合部分に沿って配置され、
前記１つ以上のプロセッサは、前記１つ以上の近接センサ部品が前記物体からの赤外線放出を受信したときに制御動作を実行するように動作可能である、アイウェア。
【請求項２】
請求項１に記載のアイウェアであって、
前記１つ以上のステムは、開位置にあるとき前記フレームから後方に遠位に延び、前記赤外線信号受信器は、前記後方に沿った前記物体からの赤外線放出を受信する、アイウェア。
【請求項３】
請求項１に記載のアイウェアであって、
前記１つ以上のステムは第１ステムと第２ステムを備え、前記１つ以上の近接センサ部品は、前記第１ステムに沿って配置された第１近接センサ部品と、前記第２ステムに沿って配置された第２近接センサ部品とを備える、アイウェア。
【請求項４】
請求項３に記載のアイウェアであって、
前記第１近接センサ部品は、第１方向に少なくとも部分的に向けられた第１受信光線を画定し、前記第２近接センサ部品は、前記第１方向と異なる第２方向に少なくとも部分的に向けられた少なくとも第２受信光線を画定する、アイウェア。
【請求項５】
請求項４に記載のアイウェアであって、
前記１つ以上のプロセッサと共に動作可能な音声出力装置を更に備え、前記制御動作は、前記赤外線信号受信器が前記物体からの赤外線放出を受信したとき、前記音声出力装置に可聴音を放出させることを含む、アイウェア。
【請求項６】
請求項５に記載のアイウェアであって、
前記可聴音は前記赤外線信号受信器から前記物体までの距離に応じて放出される、アイウェア。
【請求項７】
請求項４に記載のアイウェアであって、
前記１つ以上のプロセッサと共に動作可能な触覚装置を更に備え、前記制御動作は、前記赤外線信号受信器が前記物体からの赤外線放出を受信したとき、前記触覚装置に触覚出力を送達させることを含む、アイウェア。
【請求項８】
請求項７に記載のアイウェアであって、
前記触覚出力は前記赤外線信号受信器から前記物体までの距離に応じて出力される、アイウェア。
【請求項９】
請求項４に記載のアイウェアであって、
前記１つ以上のプロセッサと共に動作可能な無線通信装置を更に備え、前記制御動作は、前記赤外線信号受信器が前記物体からの赤外線放出を受信したとき、前記無線通信装置に外部の電子装置への通知を送信させることを含む、アイウェア。
【請求項１０】
請求項９に記載のアイウェアであって、
前記通知は、前記赤外線放出が前記第１受信光線から受信されたのか又は前記第２受信光線から受信されたのかについての指示を含む、アイウェア。
【請求項１１】
請求項９に記載のアイウェアであって、
前記アイウェアはメガネからなる、アイウェア。
【請求項１２】
請求項１に記載のアイウェアであって、
前記１つ以上のプロセッサと共に動作可能なエネルギー蓄積装置と、
前記エネルギー蓄積装置を充電するための光起電力装置と、
を更に備え、
前記光起電力装置は前記こめかみ部分に沿って配置される、アイウェア。
【請求項１３】
請求項１に記載のアイウェアであって、
音声取り込み装置と映像取り込み装置とのうちの１つ以上を更に備え、前記制御動作は、前記音声取り込み装置と前記映像取り込み装置とのうちの１つ以上を作動させることを含む、アイウェア。
【発明の詳細な説明】
【技術分野】
【０００１】
この開示は概して電子装置に関し、特に近接センサを有する携帯用電子装置に関する。
【背景技術】
【０００２】
近接検出器は、電子装置の平坦な面に沿って配置され、物体が装置の平坦な面と接触する前に物体の存在を検出することができる。例として説明すると、能動的近接検出器は、移動型通信装置のディスプレイの近くに配置することができる。この能動的近接検出器の送信器は電磁場又は静電場を放出し、受信器は近くの物体から場の反射を受信する。受信器は、受信した場における変化を検出して近くの物体の位置的変化を検出する。電子装置の機能を制御するために、物体の存在を使用することが可能である。
【０００３】
例えば、電子装置が、ユーザの顔が装置の近くに位置することを近接検出器により判定した場合、装置は、ユーザの鼓膜を過度に刺激しないように、スピーカ音量を下げることができる。別の例として、装置がユーザの耳の近くに位置する場合、近接検出器は、電力を節約するために、装置ディスプレイの電源を切ることができる。
【発明の概要】
【発明が解決しようとする課題】
【０００４】
能動的近接検出器は実際に上手く機能するが、動作的な問題が無いわけではない。能動的近接検出器は、通常、その送信器によって消費される電力に起因して比較的大きな量の電力を消費する。また、多くの能動的近接検出器は、短い範囲でのみ機能する。近接検出装置の新しい応用を提供するべくシステム及び装置を改良し、その改良されたシステム及び装置の付加的な構成及び特徴を提供することが有利である。
【課題を解決するための手段】
【０００５】
一つの態様はアイウェアである。アイウェアは、フレームと、前記フレームから遠位に延びる１つ以上のステムと、前記フレームと前記１つ以上のステムとのうちの１つ以上の中に配置された１つ以上のプロセッサと、前記１つ以上のステムの中に配置され、前記１つ以上のプロセッサと共に動作可能な１つ以上の近接センサ部品とを備える。各近接センサ部品は、物体からの赤外線放出を受信するための赤外線信号受信器を備える。前記１つ以上のプロセッサは、前記１つ以上の近接センサ部品が前記物体からの赤外線放出を受信したときに制御動作を実行するように動作可能である。
【０００６】
他の態様はアイウェアシステムである。アイウェアシステムは、アイウェアと電子装置とを備える。アイウェアは、前記アイウェアの外部にある物体からの赤外線放出を受信するための１つ以上の近接センサ部品と、前記１つ以上の近接センサ部品と共に動作可能な無線通信装置とを備える。電子装置は、１つ以上のプロセッサと、前記１つ以上のプロセッサと共に動作可能なユーザインターフェースと、前記１つ以上のプロセッサと共に動作可能な別の無線通信装置とを備える。前記無線通信装置は、前記１つ以上の近接センサ部品が前記物体からの赤外線放出を受信したとき、前記別の無線通信装置への通知を送信する。前記１つ以上のプロセッサは、前記別の無線通信装置が前記通知を受信したときに制御動作を実行する。
【図面の簡単な説明】
【０００７】
【図１】本開示の１つ以上の実施形態による近接センサ部品を有するアイウェアを例示する図。
【図２】本開示の１つ以上の実施形態による電子装置を例示する図。
【図３】本開示の１つ以上の実施形態によるアイウェアを装着して操作するユーザを例示する図。
【図４】本開示の１つ以上の実施形態による近接センサ部品を有するアイウェアを使用する方法を例示する図。
【図５】本開示の１つ以上の実施形態による近接センサ部品を組み込むアイウェアに関連付けられた１つ以上の制御動作を例示する図。
【図６】本開示の１つ以上の実施形態による近接センサ部品を組み込むアイウェアに関連付けられた１つ以上の他の制御動作を例示する図。
【図７】本開示の１つ以上の実施形態による近接センサ部品を組み込むアイウェアに関連付けられた更により多くの制御動作を例示する図。
【図８】本開示の１つ以上の実施形態による近接センサ部品を組み込むアイウェアに関連付けられた１つ以上の制御動作を例示する図。
【図９】本開示の１つ以上の実施形態による近接センサ部品を組み込むアイウェアに関連付けられた１つ以上の制御動作を例示する図。
【図１０】本開示の１つ以上の実施形態による近接センサ部品を組み込むアイウェアに関連付けられた１つ以上の制御動作を例示する図。
【発明を実施するための形態】
【０００８】
以下、本開示による実施形態を説明する。当業者は、図中の要素が、簡潔さ及び明瞭さのために例示されており、必ずしも一定の縮尺で描かれていないことを認識し得る。本開示の実施形態をより良く理解するために、例えば、図中の幾つかの要素の寸法は他の要素に対して誇張されている場合がある。
【０００９】
本開示による実施形態は、主として、方法ステップ及び装置構成部品の組み合わせにあり、これらの方法ステップ及び装置構成部品は、電子装置に対して異なる方向から物体を検出するための近接センサ部品を使用することに関連する。フローチャートにおける任意のプロセスの説明又はブロックは、特定の論理的機能又はプロセスのステップを履行するための１つ以上の実行可能な命令を含むコードのモジュール、セグメント、又は一部分を表すものとして理解されるべきである。
【００１０】
本開示の実施形態は、ビジネス情報の処理を目的とした一般的なビジネス方法の履行を詳しく述べるものではなく、また既知のビジネスプロセスをインターネットの特別な技術環境に適用するものでもない。また、本開示の実施形態は、一般的なコンピュータ機能や従来のネットワーク動作を用いた契約上の関係を創作又は変更するものではない。むしろ、本開示の実施形態は、電子装置及び／又はユーザインターフェース技術に適用された場合に、電子装置自体の機能を改善しユーザ全体の経験を改善することによって、電子装置のユーザ対話に関連付けられた技術領域で特定的に生じる問題を克服する方法を採用する。
【００１１】
代替実施例も含まれることが、以下の説明によって明らかになる。即ち、機能は、図示又は説明されるものから順序不同で実行してもよく、関連する機能性に依存して実質的に同時に、又は逆の順番で実行してもよい。従って、装置構成部品及び方法ステップは、適切な場合には、図面における符号によって表されたものであるが、これらの図面は、本開示が詳細な説明によって不明確とならないよう本開示の実施形態を理解することに直接関係のある特定の詳細だけを示していることが当業者には容易に明らかとなる。
【００１２】
本明細書で説明される開示の実施形態は、１つ以上の汎用のプロセッサ及び一意に格納されたプログラム命令で構成してもよい。これらのプログラム命令は、１つ以上のプロセッサを制御して、受信した赤外線放出を近接センサ部品によって検出し、また任意でその赤外線放出がどの方向から生じたかを決定する機能のうちの幾つか、殆ど、又は全てを、非プロセッサ回路と協働して実行させるものである。非プロセッサ回路は、以下に限定されるものではないが、無線受信器、無線送信器、信号駆動器、クロック回路、電源回路、及びユーザ入力装置を含んでもよい。そのため、これらの機能は、赤外線放出を検出し、及び／又は赤外線放出がどの方向から受信されるかを検出するための方法のステップとして解釈することができる。或いは、幾つかの又は全ての機能は、格納されたプログラム命令を持たないステートマシンによって実行することも可能である。又は、幾つかの又は全ての機能は、１つ以上の特定用途向け集積回路（ＡＳＩＣ）において実行することも可能である。特定用途向け集積回路（ＡＳＩＣ）において、各機能又は機能の幾つかの組み合わせは、カスタムロジックとして履行される。もちろん、２つのアプローチの組み合わせを使用することも可能である。これら機能のための方法及び手段は、本明細書に説明されている。当業者は、本明細書で開示された概念及び原理によって導かれる場合、例えば、利用可能な時間、現在の技術、経済的考慮によって動機付けられるおそらくは相当の努力及び多くの設計選択候補があるにせよ、最小の実験によってそのようなソフトウェア命令及びプログラム並びにＡＳＩＣを容易に生成することが可能である。
【００１３】
以下、本開示の実施形態を、詳細に説明する。図面において、同じ符号は同じ部分を示す。本明細書及び請求の範囲で使用される以下の用語は、文脈がそうでないことを明瞭に規定していない限り、本明細書で明確に関連付けられた意味を持つ。第１や第２、頂部や底部などの用語は、１つの実体又は行為を、別の実体又は行為と単に区別するために使用している場合があり、そのような実体又は行為の間における実際的な関係又は順序等を必ずしも要求又は意味するものではない。また、本明細書において括弧書きで示す参照符号は、説明している図以外の図において示される構成部品を指し示す。例えば、図Ａを説明している際に装置（１０）について言及する場合、図Ａ以外の図で示される要素１０を示す。
【００１４】
本開示の実施形態は、ユーザが見ていない方向に沿った物体からの熱放出を検出するための近接センサ部品を備えたアイウェア（eyewear）を提供する。このアイウェアは、メガネ、サングラス、ゴーグル、マスク、シールド、バイザーなどを含む数多くの異なるタイプのもので構成することが可能である。一実施形態において、アイウェアは、開位置にある場合、フレームと、そのフレームから遠位に延びる１つ以上のステム（stem）とを備える。ステムは、任意でフレームに対して旋回して、閉位置から、放射状に変位した開位置まで開くように構成される。この放射状に変位した開位置では、ステムはフレームから遠位に延びている。しかしながら、他の実施形態において、ステムはフレームに対して固定されていてもよい。更に他の実施形態において、マスク又はゴーグルの場合には、ステムは、フレキシブルな材料又は伸縮性の材料から製造されてもよく、装着者によって装着された場合にのみフレームから遠位に延びてもよい。
【００１５】
一実施形態において、アイウェアは、携帯用電子装置を定義する。例えば、アイウェアは、１つ以上のプロセッサを含むことが可能である。それらのプロセッサは、フレームの１つ以上の中に、又は１つ以上のステムの中に配置することができる。一実施形態において、アイウェアは、１つ以上のプロセッサとともに動作可能な１つ以上の近接センサ部品を更に含むことが可能である。一実施形態において、１つ以上の近接センサ部品は、各々受信器のみを備え、対応する送信器を含まない。本明細書で使用される「近接センサ部品」は信号受信器のみを備え、この信号受信器は、物体からの反射に関する信号を信号受信器に放出するための対応する送信器を含まない。ユーザの体、或いはユーザによって装着されるウェアラブル電子装置などの装置の外部にある他の熱発生物体が送信器となるという事実により、信号受信器のみを使用することができる。
【００１６】
例として説明すると、一実施形態において、近接センサ部品は、アイウェアのフレーム及びステムの外部にある物体からの信号を受信する信号受信器を備える。一実施形態において、物体がアイウェアの熱受信半径内にある場合、信号受信器は、人間などの物体からの赤外線放出を受信する赤外線信号受信器である。１つ以上の実施形態において、近接センサ部品は、約４マイクロメートルから約１０マイクロメートルの赤外波長を受信するように構成される。この波長範囲は、人間の体によって放出される熱の波長に対応するという点において、１つ以上の実施形態において有利である。また、この範囲にある波長の検出は、例えば、送信器及び受信機のペアを含む能動的近接検出部品の送信器からの反射信号を検出する場合よりも、更に遠い距離からの検出が可能である。
【００１７】
１つ以上の実施形態において、１つ以上の近接センサ部品は、アイウェアのステムの中に配置される。本開示の実施形態は、視覚に関して人々は限られた視野を有するということを考慮する。従って、アイウェアを装着している場合、人は、例えばフレームに配置されたレンズを通して、一般に、１２０度〜１８０度の間の角度で、前方方向を見ることが可能である。しかしながら、人は「自分の頭の後部を」見ることはできない。従って、近接センサ部品を戦略的に位置決めすることによって、これらの装置は、背後から近づいてくる物体を検出することが可能になる。
【００１８】
１つ以上の実施形態において、物体の存在を検出する１つ以上の近接センサにより物体が検出される場合に、アイウェア、又はスマートフォンのようなコンパニオン電子装置は制御動作を実行可能である。以下でより詳細に説明するが、制御動作は多くの異なる形態を取ることが可能である。例えば、一実施形態において、制御動作は、ユーザにアラートを送達することを含む。アラートは、誰かが自分の背後にいることをユーザに通知することができる。１つ以上の実施形態において、このアラートは、人がいる場所の方向の指示を含むこともできる。アラートは、人がより速く歩くべきであることを指し示す緩やかなアラートから、誰かが背後から急速に近づいているので危険な状態にあり得ることを指し示すより深刻なアラートまで、多くの異なる形態を取り得る。
【００１９】
一実施形態において、アイウェアを装着しているユーザの背後からの物体のより最適な検出を提供するために、１つ以上の近接センサ部品は、アイウェアのフレームから離れたステムの遠位端に配置される。一実施形態において、各ステムは、こめかみ部分と耳係合部分とを備える。こめかみ部分は耳係合部分とフレームとの間に配置される。一実施形態において、１つ以上の近接センサ部品は、耳係合部分に沿って配置されることで、ユーザの背後において、最後部に対向する「視野」を有する。そのように配置される場合、近接センサ部品の赤外線信号受信器は、後部に対向する方向に沿った物体からの赤外線放出又は熱放出を受信する位置にある。
【００２０】
一実施形態において、アイウェアは、２つのステム、即ち第１ステム及び第２ステムを備える。一実施形態において、１つの近接センサ部品は、各ステムの耳係合部分に配置される。例えば、一実施形態において、第１近接センサ部品は第１ステムに沿って配置可能である一方で、第２近接センサ部品は第２ステムに沿って配置される。これらの場所は、髪が各近接センサ部品を完全に覆う可能性を低減するという点において有利であり得る。これらの場所はまた、近接センサ部品の後部における受信妨害を回避可能とする人間工学的設計を提供する。
【００２１】
２つ以上のそのような近接センサ部品が使用される場合、赤外線放出が受信された方向を決定することができる。例えば、第１近接センサ部品は、第１方向に少なくとも部分的に向けられた少なくとも第１受信光線を画定する一方、第２近接センサ部品は、第２方向に少なくとも部分的に向けられた少なくとも第２受信光線を画定し得る。第１方向と第２方向は異なる方向とすることができる。どちらの近接センサ部品が赤外線放出を受信したかを判定することによって赤外線放出がどの方向から受信されたかという指示を得ることができる。また、以下でより詳細に説明するが、方向の決定を更に向上させるべく、格子及び／又はレンズを使用して複数の熱受信光線を画定することも可能である。各熱受信光線には、受信角度を関連付けることが可能である。一実施形態では、１つの近接センサ部品の受信角度が他の近接センサ部品の受信角度と重なるように各受信角度が鈍角である（即ち、９０度よりも大きい）。
【００２２】
１つ以上の実施形態においては、二次電池のような小さなエネルギー蓄積装置を充電するために、太陽電池のような光起電力装置をアイウェアの中に含めることが可能である。シミュレーションによれば、一群の赤外線信号受信器は、わずか数マイクロアンペアの合計電流流出によって動作可能である。従って、一方のこめかみ部分又は両方のこめかみ部分に沿って配置された小さな光起電力装置は、１つ以上のプロセッサ、近接センサ部品、及び無線通信装置（任意）に電力供給するのに十分である。他の実施形態においては、これらの構成部品に電力を供給するために、アイウェアを装着した人の機械的運動から電力を生成する圧電装置などのエネルギー採取エンジンを使用することができる。
【００２３】
本開示の実施形態は、様々な方法で使用することができる。例えば、一実施形態において、近接センサ部品がユーザの後方の物体を検出する場合、制御動作は、ユーザにアラートを送達することを含み得る。このアラートは、一実施形態において、触覚応答の形態、例えば、ユーザの頭の側面に送達される微小振動であり得る。アラートは、他の実施形態において、可聴出力、例えば、ユーザの耳の背後に送達される低音量の音であり得る。１つ以上の実施形態において、可聴出力は、方向を指し示すことさえも可能である。例えば、右耳に送達された可聴出力は、右から人が近づいていることを指し示すようにしてもよく、その一方で、左耳に送達された可聴出力は、その反対のことを指し示すようにしてもよい。もちろん、これらの接近の組み合わせも同様に使用可能である。更に他のタイプのアラートが以下で説明されるが、この開示の恩恵を受ける当業者には、更なる他のアラートであってもよいことが明らかである。
【００２４】
別の実施形態において、人が近づいている及び／又は背後に立っている場合にユーザのアラート度を上げるために、アイウェアは、１つ以上の近接センサ部品が物体からの赤外線放出を受信するとコンパニオン電子装置に通知を送信するための無線通信装置を含むことが可能である。他の電子装置における１つ以上のプロセッサは、その通知を受信したときに制御動作を実行することができる。例えば、もしコンパニオン装置がスマートフォンであるならば、１つ以上の近接センサ部品がユーザの背後の存在を指し示した場合、制御動作は、ディスプレイの「視認性」を制限することを含み得る。別の実施形態において、誰かがユーザの背後にいる場合、コンパニオン装置は、ネットワーク上における遠隔サーバ、即ち、「クラウド内」のサーバに通知やアラートを送信してもよい。
【００２５】
更に別の実施形態において、コンパニオン装置は、ユーザがコンパニオン装置を一時的に使用することを防止するために装置自体を「ロック」し、それによって、ユーザに背後の存在を通知し、ユーザの注意を電子装置よりもむしろ物体に向けさせることが可能となる。もしアイウェアが音声取り込み装置及び／又は映像取り込み装置を備える場合は、人がユーザの背後にいる場合、音声及び／映像を取り込むために、これらの装置を作動させることも可能である。もし人が、ユーザを襲うことを意図する犯罪者である場合、後々の犯罪者の特定のために、この取り込まれた映像及び／又は音声を緊急職員に送信することができる。他の使用法及び本明細書で説明される実施形態の恩恵は、この開示の恩恵を受ける当業者には明らかである。
【００２６】
図１は、本開示の１つ以上の実施形態によるアイウェア１００の一実施形態を例示している。図１の例示的なアイウェア１００は、一対のメガネとして構成されている。しかしながら、これは単に例示目的に過ぎず、アイウェア１００は、他の方法でも同様に構成することができる。上記したように、アイウェア１００は、サングラス、ゴーグル、マスク、シールド、又はバイザーのいずれかとして構成することも可能である。アイウェア１００の他の形態は、この開示の恩恵を受ける当業者には明らかである。
【００２７】
図１のアイウェア１００は、フレーム１０１と、１つ以上のステム１０２、１０３とを含む。ここで、１つ以上のステム１０２、１０３は、第１ステム１０２と第２ステム１０３とを含む。１つ以上のレンズ１０４、１０５は、フレーム１０１の中に配置される。レンズ１０４、１０５は、処方品でも非処方品でもよく、明るいもの、色みがかったもの、又は暗いものであり得る。この例示的な実施形態において、ステム１０２、１０３は、第１位置１０７から第２位置（図１に示した、放射状に変位した開位置）まで旋回可能１０６である。しかしながら、他の実施形態において、ステム１０２、１０３は、フレーム１０１に固定されていてもよい。更に他の実施形態において、アイウェア１００がゴーグルであった場合、ステム１０２、１０３は曲げやすくてもよく、又は柔軟であってもよい。例えば、ゴーグルのステムは、しばしば伸縮性の布であり、柔軟であり、曲げやすく、しなやかであり、伸縮性がある。他のタイプのステム１０２、１０３も、この開示の恩恵を受ける当業者には明らかである。
【００２８】
１つ以上の実施形態において、ステム１０２、１０３は、第１端部１０８、１０９でフレーム１０１に取り付けられ、フレーム１０１から第２遠位端部１１０、１１１まで遠位に延びる。一実施形態において、各ステム１０２、１０３は、こめかみ部分１１２と、耳係合部分１１３とを含む。こめかみ部分１１２は、フレーム１０１から装着者のこめかみを通り過ぎるステム１０２、１０３の部分であり、耳係合部分１１３は、アイウェアを装着者の頭に保持するために装着者の耳に係合される。
【００２９】
１つ以上の実施形態において、アイウェア１００は、電子装置として構成される。従って、フレーム１０１とステム１０２、１０３とのうちの一方又はその両方は、１つ以上の電気的構成部品を備える。これらの電気的構成部品は、図１における概略的ブロック図１１５にて例示的に示される。この開示の恩恵を受ける当業者には明らかであるが、電気的構成部品及び関連付けられたモジュールは、異なる組み合わせで使用することが可能であり、その場合、幾つかの構成部品及びモジュールは含まれ、且つ他は省略されてもよい。構成部品又はモジュールは、必要性又は応用に基づいて適宜含まれるか除外される。
【００３０】
電子構成部品は、１つ以上のプロセッサ１１６を含み得る。１つ以上のプロセッサ１１６は、ステム１０２、１０３とフレーム１０１とのうちの１つ以上に配置することができる。１つ以上のプロセッサ１１６は、メモリ１１８と共に動作可能としてもよい。１つ以上のプロセッサ１１６（１つ以上のマイクロプロセッサ、プログラマブル・ロジック、特定用途向け集積回路装置、又は他の類似装置のいずれであってもよい）は、プログラム命令及び本明細書で説明される方法を実行することができる。プログラム命令及び方法は、１つ以上のプロセッサ１１６に内蔵されて格納されてもよいし、メモリ１１８に格納されてもよいし、又は１つ以上のプロセッサ１１６に結合された他のコンピュータ可読媒体に格納されてもよい。１つ以上のプロセッサ１１６は、アイウェア１００の様々な機能を動作させるように構成可能であり、更に、メモリ１１８のようなコンピュータ可読媒体に格納され得るソフトウェア・アプリケーション又はファームウェア・アプリケーション及びモジュールを実行するように構成可能である。１つ以上のプロセッサ１１６は、このソフトウェア又はファームウェアを部分的に実行して、装置の機能を提供する。メモリ１１８は、スタティックメモリ構成部品及びダイナミックメモリ構成部品のうちのいずれか又はその両方を含んでもよく、これらは、埋め込まれたコード及びユーザデータの両方を格納するために使用してもよい。
【００３１】
一実施形態において、１つ以上の近接センサ部品１１９は、１つ以上のプロセッサ１１６と共に動作可能であり得る。１つ以上の近接センサ部品１１９は、１つ以上のステム１０２、１０３の中に配置することができる。一実施形態において、近接センサ部品１１９は、信号受信器のみを備える。一実施形態において、近接センサ部品１１９は、赤外フォトダイオードのような赤外線信号受信器１１７を備える。例えば、一実施形態では、近接センサ部品１１９は、約８６０ナノメートルの赤外波長を受信する信号受信器を備える。一実施形態において、予め定義された熱受信半径内に人がいる場合、近接センサ部品１１９は、人の体から発する熱を検出できるように比較的長い検出範囲を有する。例えば、１つ以上の実施形態において、近接センサ部品は、約１０フィートの距離から人の体の熱を検出することが可能であってもよい。１０フィートの寸法は、設計された光学系、センサ活性エリア、利得、レンズ利得などに応じて、延長することができる。
【００３２】
一実施形態において、各近接センサ部品１１９は、人からの赤外線放出を検出できるように赤外線信号受信器を備える。これは「受動的ＩＲシステム」と呼ばれることがあるが、それは、人が能動的送信器であるということによる。従って、ハウジングの外部に配置された物体が、赤外線信号受信器１１７によって受信される放出を送達するため、近接センサ部品１１９は送信器を必要としない。送信器を必要としないので、各近接センサ部品１１９は、非常に低い電力レベルで動作可能である。シミュレーションによれば、一群の赤外線信号受信器は、例えば約８マイクロアンペアよりも小さい、わずか数マイクロアンペアの合計電流流出によって動作することができる。
【００３３】
一実施形態において、各近接センサ部品１１９の信号受信器は、少なくとも１つの近接センサ部品１１９が異なる距離からの赤外線放出を受信するよう動作可能とさせるべく、様々な感度レベルで動作することができる。例えば、１つ以上のプロセッサ１１６は、各近接センサ部品１１９が第１距離からの赤外線放出を受信できるように各近接センサ部品１１９を第１「有効」感度で動作させることが可能である。同様に、１つ以上のプロセッサ１１６は、各近接センサ部品１１９を第２感度で動作させることが可能である。この第２感度は第１感度よりも小さく、これによって、第１距離よりも小さい第２距離からの赤外線放出を受信する。１つ以上のプロセッサ１１６が近接センサ部品１１９からの読み出しを異なって解釈することにより感度変化をもたらすことも効果的である。
【００３４】
この例示的な実施形態において、１つ以上の近接センサ部品１１９は、第１ステム１０２に沿って配置された第１近接センサ部品１２０と、第２ステム１０３に沿って配置された第２近接センサ部品１２１とを備える。一実施形態において、第１近接センサ部品１２０及び第２近接センサ部品１２１は、各々、第１ステム１０２及び第２ステム１０３のそれぞれの耳係合部分１１３に沿うと共に、第１ステム１０２及び第２ステム１０３の遠位端部１１０、１１１に向かって配置される。上記したように、一実施形態において、図１で示した開位置にある場合、ステム１０２、１０３は、後部に対向する方向１１４においてフレーム１０１から遠位に延びる。これによって、各近接センサ部品１１９の赤外線信号受信器１１７は、後部に対向する方向１１４に沿った物体からの１つ以上の赤外線放出を受信することが可能になる。
【００３５】
１つ以上の実施形態において、アイウェア１００はまた、任意で、無線通信装置１２５を含む。無線通信装置１２５が含まれる場合、無線通信装置１２５は、１つ以上のプロセッサ１１６と共に動作可能であり、１つ以上の電子装置、又はネットワーク上のサーバ若しくは他の通信装置との電子通信を促進するために使用される。なお、１つ以上のプロセッサ１１６、メモリ１１８、及び無線通信装置１２５を単一の装置に結合してもよく、或いは構成部分の機能性を保持しながらより少ない部分を有する装置に結合してもよい。
【００３６】
無線通信装置１２５（受信器又は送信器の１つであってもよく、或いはトランシーバであってもよい）は、通信ネットワークを通して電子的に通信するために１つ以上のプロセッサ１１６と協働して動作する。例えば、一実施形態において、無線通信装置１２５は、符号分割多重アクセス（ＣＤＭＡ）ネットワーク又は移動通信用グローバルシステム（ＧＳＭ（登録商標））ネットワークなどの、伝統的な移動電話システムのネットワークを通して通信するように構成可能である。通信回路が通信し得るネットワークの他の例としては、プッシュ・ツー・トーク（ＰＴＴ）ネットワーク、固有ネットワーク、デュアルバンドＣＤＭＡネットワーク、デュアルバンド・ユニバーサル移動体通信システム（ＵＭＴＳ）ネットワーク、及び直接通信ネットワークが含まれる。他の実施形態において、無線通信装置１２５は、近接無線ネットワーク又はローカル・エリア・ネットワークと通信可能である。適切な近接通信回路の例としては、ブルートゥース（登録商標）通信回路、ＩＥＥＥ８０１．１１通信回路、赤外通信回路、磁界変調回路、及びＷｉ−Ｆｉ（登録商標）回路が含まれる。１つ以上の実施形態において、無線通信装置１２５は、電子メッセージを遠隔装置に送達するためのメッセージ機能性を提供するように構成可能である。
【００３７】
アイウェア１００の様々な構成部品に対して電力を供給するために、バッテリ１２２又は他のエネルギー蓄積装置を含めることが可能である。図１にはバッテリ１２２が示されているが、マイクロ燃料電池又は電気化学キャパシタを含む他のエネルギー蓄積装置がバッテリ１２２の代わりに使用され得ることは、この開示の恩恵を受ける当業者には明らかである。バッテリ１２２は、リチウムイオン電池又はニッケル金属水素化物電池を含むことが可能であり、そのような電池は、十分なエネルギー容量、広い動作温度範囲、多数回の充電サイクル、及び長い有効寿命を有する。バッテリ１２２はまた、過電圧保護及び過電流保護、並びに充電回路構成を含んでもよい。一実施形態において、バッテリ１２２は、小さなリチウムポリマー電池を備える。
【００３８】
１つ以上の実施形態において、バッテリ１２２を再充電するために、太陽電池のような光起電力装置１２３を含めることが可能である。一実施形態において、光起電力装置１２３は、ステム１０２、１０３のこめかみ部分１１２に沿って配置することができる。この例示的な実施形態においては、２つの太陽電池１２６、１２７が、各ステム１０２、１０３のこめかみ部分１１２にそれぞれ配置されている。
【００３９】
また、アイウェア１００には、他の構成部品１２４を任意で含めることが可能である。例えば、一実施形態において、１つ以上のマイクロフォンを、音声取り込み装置１２８として含めることが可能である。この音声取り込み装置は、音声入力を受信するために、１つ以上のプロセッサ１１６と共に動作可能であり得る。加えて、１つ以上の実施形態において、近接センサ部品１１９がアイウェア１００のユーザの背後の誰かを検出する場合には、音声取り込み装置１２８は周囲の音声ノイズを取り込むことが可能である。１つ以上の実施形態において、もしユーザの背後の人が脅威であると分かった場合、１つ以上のプロセッサ１１６は、後々の同定のために、この取り込まれた音声を緊急職員に送信することができる。１つ以上の実施形態において、音声取り込み装置１２８は、音声をメモリ１１８に記録して、無線通信装置１２５を通してネットワーク上のサーバ複合体に送信してもよい。
【００４０】
他の構成部品１２４はまた、触覚通知又は振動通知をユーザに提供するためのモーション生成装置を含むことが可能である。例えば、圧電トランスデューサ、回転モータ、又は他の電気機械装置は、ステム１０２、１０３のこめかみ部分１１２上で力又は振動を与えるように、或いはフレーム１０１に沿って力又は振動を与えるように構成することができる。モーション生成装置は、強い打撃、揺さぶり、振動、又はユーザに対する他の物理的感覚を提供することができる。１つ以上のプロセッサ１１６は、触覚出力又は振動出力を単独で、又は音声出力のような他の出力との組み合わせにおいて送達するべくモーション生成装置を作動させるように構成することができる。
【００４１】
また、１つ以上の実施形態において、アイウェアは、撮像素子などの映像取り込み装置１２９を含むことが可能である。撮像素子は、ステム１０２、１０３の中に配置することが可能であり、これにより、近接センサ部品１１９が近接センサ部品１１９の熱受信半径内に物体の存在を検出する場合、後部に対向する方向１１４に沿った画像を取り込むことが可能である。１つ以上の実施形態において、映像取り込み装置は、後部に対向する方向１１４に沿った、アイウェア１００の近傍での光学強度、色、光、又は影における変化を検出するための装置として機能することも可能である。音声取り込み装置１２８と同様に、近接センサ部品によって検出された物体が脅威であると分かった場合には、取り込まれた映像情報を緊急職員に送信することができる。
【００４２】
他の任意の構成部品としては、アイウェア１００が何処に位置するかを決定するための全地球測位システム装置１３０が含まれる。全地球測位システム装置１３０は、おおよその場所を決定するための一群の地球軌道衛星又は地上基地局のネットワークと通信可能である。本発明の実施形態で使用するのに適した衛星位置決めシステムの例としては、とりわけ、米国における全地球測位システム（ＧＰＳ）である、時間及び範囲ナビゲーションシステム（ＮＡＶＳＴＡＲ）、ロシアにおける全地球軌道ナビゲーションシステム（ＧＬＯＮＡＳＳ）、及び他の同様な衛星位置決めシステムが含まれる。全地球測位システム装置１３０が、場所決定モジュールの一例であるのに対して、電子コンパス又はジャイロスコープのような他の場所決定装置が同様に使用できることは、この開示の恩恵を受ける当業者には明らかである。
【００４３】
また、任意でユーザインターフェース１３１を含めることが可能である。ユーザインターフェース１３１は、例えば、回路構成部品をアクティブにする、回路構成部品の電源を切る、近接センサ部品の感度を制御する、などのために使用することができる。ユーザインターフェース１３１が含まれる場合、ユーザインターフェース１３１は、ユーザに情報を送信したりユーザから情報を受信したりするために、１つ以上のプロセッサ１１６と共に動作可能であり得る。ユーザインターフェース１３１は、ロッカースイッチ、スライダパッド、ボタン、タッチセンシティブ表面、又は他の制御器を含むことが可能であり、且つ任意で音声コマンド・インターフェースを含むことが可能である。これらの様々な構成部品は一体に統合することも可能である。
【００４４】
１つ以上の実施形態において、拡声器又は他のトランスデューサなどの音声出力装置１３２は、音声出力をユーザに送達することができる。例えば、圧電トランスデューサは、ステム１０２、１０３の中で動作可能に配置することができる。圧電トランスデューサの作動は、ステム１０２、１０３を振動させることによって音響出力を放出することができる。また、拡声器などのより伝統的な音声出力装置１３２も使用可能である。
【００４５】
触覚フィードバックをユーザに提供するために触覚装置１３３を含めることもできる。触覚装置１３３は、触覚応答をユーザに送達するためのモーション生成装置を含むことができる。例えば、圧電トランスデューサ又は他の電気機械装置を、ステム１０２、１０３に含めることができる。トランスデューサは、強い強度、揺さぶり、振動、又はユーザに対する他の物理的感覚をユーザに提供するために、ユーザの頭に対して力を与えるように作動することができる。近接センサ部品１１９が熱検出半径内に物体を検出する場合、音声出力装置１３２及び触覚装置１３３の両方を含むことによって、音声フィードバック及び触覚フィードバックの両方を送達することができる。
【００４６】
図１のアイウェア１００は、１つ以上の実施形態において、スタンドアロンの電子装置として動作可能である。しかしながら、別の実施形態では、アイウェア１００は、コンパニオン電子装置と協働して動作してアイウェアシステムを形成することができる。１つのそのような電子装置２００が図２に例示されている。
【００４７】
図２の電子装置２００は携帯用電子装置であり、ここでは例示目的のためにスマートフォンとして示されている。しかしながら、他の電子装置を図２の説明的なスマートフォンと置き換えてもよいことは、この開示の恩恵を受ける当業者には明らかである。例えば、電子装置２００と等価なものとしては、汎用のデスクトップ・コンピュータ、パームトップ・コンピュータ、タブレット・コンピュータ、ゲーム機、メディアプレーヤー、又は他の装置であり得る。
【００４８】
この例示的な電子装置２００は、ディスプレイ２０２を含み、これは任意でタッチセンシティブであってもよい。ディスプレイ２０２は、電子装置２００の全てのユーザインターフェース２０５のうちの１つの構成部品として設けることが可能である。ユーザは、ユーザ入力をディスプレイ２０２又はインターフェース２０５に送達することができる。
【００４９】
図２の説明的な電子装置２００は、ハウジング２０１も含む。一実施形態において、ハウジング２０１は、２つのハウジング部材、即ち、ディスプレイ２０２の周辺近くに配置されたフロントハウジング部材と、電子装置２００の後側近くに配置されたリヤハウジング部材とを含む。制御装置２１５やコネクタ２１６などを含む機能品を、ハウジング２０１の中に組み込むことが可能である。
【００５０】
図２には、電子装置２００の概略的ブロック図２０４も示されている。一実施形態において、電子装置２００は、１つ以上のプロセッサ２０３を含む。１つ以上のプロセッサ２０３は、アプリケーション・プロセッサ、及び任意で１つ以上の補助プロセッサを含むことが可能である。これらは、マイクロプロセッサ、一群の処理構成部品、１つ以上のＡＳＩＣ、プログラマブル・ロジック、又は他のタイプの処理装置であり得る。１つ以上のプロセッサ２０３は、電子装置２００の様々な機能を実施するための実行可能ソフトウェア・コードを処理及び実行するように構成することができる。メモリ２０９のような記憶装置は、動作の間、１つ以上のプロセッサ２０３によって使用される実行可能ソフトウェア・コードを任意で格納することができる。
【００５１】
この例示的な実施形態において、電子装置２００は無線通信装置２０６も含み、無線通信装置２０６は、１つ以上の他の装置又はネットワークと有線通信又は無線通信を行うように構成することができる。ネットワークは、ワイド・エリア・ネットワーク、ローカル・エリア・ネットワーク、及び／又はパーソナル・エリア・ネットワークを含むことが可能である。ワイド・エリア・ネットワークの例として、ＧＳＭ（登録商標）、ＣＤＭＡ、Ｗ−ＣＤＭＡ（登録商標）、ＣＤＭＡ−２０００、ｉＤＥＮ、ＴＤＭＡ、２．５世代３ＧＰＰ−ＧＳＭネットワーク、第３世代３ＧＰＰ−ＷＣＤＭＡ（登録商標）ネットワーク、３ＧＰＰ長期進化（ＬＴＥ）ネットワーク、及び３ＧＰＰ２−ＣＤＭＡ通信ネットワーク、ＵＭＴＳネットワーク、Ｅ−ＵＴＲＡネットワーク、ＧＰＲＳネットワーク、ｉＤＥＮネットワーク、及び他のネットワークが含まれる。
【００５２】
また、無線通信装置２０６は、以下に限定されるものではないが、ＨｏｍｅＲＦ、ブルートゥース（登録商標）、ＩＥＥＥ８０２．１１（ａ，ｂ，ｇ又はｎ）などのピア・ツー・ピア通信又はアドホック通信や、赤外技術などの他の形態の無線通信など、通信のための無線技術を利用してもよい。無線通信装置２０６は、無線通信回路構成と、受信器、送信器、又はトランシーバと、１つ以上のアンテナ２０７とを含み得る。
【００５３】
一実施形態において、１つ以上のプロセッサ２０３は電子装置２００の主な機能の実行を担うことが可能である。例えば、一実施形態において、１つ以上のプロセッサ２０３はディスプレイ２０２上でユーザに情報を提示することができる。１つ以上のプロセッサ２０３によって使用される実行可能ソフトウェア・コードは、１つ以上のプロセッサ２０３と共に動作可能な１つ以上のモジュール２１０として構成することができる。そのようなモジュール２１０は、命令を格納したりアルゴリズムを制御したりすること等が可能である。
【００５４】
電子装置２００はまた、１つ以上のセンサ回路２０８を含むことができる。これらのセンサ回路２０８は、マイクロフォン、ボタン又はキー選択センサのような機械的入力構成部品、タッチパッドセンサ、タッチスクリーンセンサ、静電容量センサ、及びスイッチを含んでもよい。タッチセンサは、装置が側面縁部においてタッチされたかどうかを指し示すために、即ち、ある配向又は運動がユーザによる故意のものであるか否かを指し示すために使用されてもよい。センサ回路２０８はまた、表面／ハウジング容量性センサ、音声センサ、及び（カメラのような）映像センサを含むことが可能である。センサ回路２０８はまた、加速度計又はジャイロスコープなどの運動検出器を含むことが可能である。
【００５５】
１つ以上のプロセッサ２０３と共に動作可能な他の構成部品２１１は、映像出力、音声出力、及び／又は機械的出力のような出力構成要素を含むことが可能である。バッテリ２１２又は他のエネルギー蓄積装置は、電子装置２００を動作させるための電力を送達することができる。
【００５６】
図１及び図２の双方において、例示されている要素は、本開示の実施形態に従って単に例示目的のために提供されていることが理解されるべきである。どの要素についても、要求される様々な構成部品の完全な概略図であることは意図されていない。従って、本開示の実施形態に従う他の電子装置は、この開示の恩恵を受ける当業者には明らかな（図１には示されていない）他の様々な構成部品を含んでもよいし、２つ以上の構成部品の組み合わせを含んでもよいし、又は特別な構成部品を２つ以上の別個の構成部品に分割したものを含んでもよい。これらの構成部品も、依然として本開示の範囲内にある。
【００５７】
図３は、図１のアイウェア１００を装着しているユーザ３０１を例示している。アイウェア１００は、図２の電子装置２００と無線通信状態３０２となることで、アイウェアシステム３００を形成する。
【００５８】
１つ以上の実施形態において、ステム１０３の遠位端部１１１の拡大図３０３に示されるように、各近接センサ部品１２１は、１つ以上の開口部３０５を画定する格子３０４の背後に配置され、これらの開口部３０５を介して赤外線放出３０６が受信される。一実施形態において、この格子３０４は、１つ以上の受信光線３０７、３０８、３０９、３１０を画定することができ、これらの光線によって赤外線放出３０６が受信され得る。このような受信光線３０７、３０８、３０９、３１０を画定することによる利点は、近接センサ部品１２１が、アイウェア１００に対する物体の場所を検出可能となるだけでなく、１つ又は複数の物体が熱検出半径内にあるかどうかについても検出可能となることである。本開示の実施形態は、アイウェア１００の熱検出半径内にある物体の存在又は運動を検出することだけでなく、アイウェア１００に対するユーザの正確な位置を決定することについても、高い価値があるという点を考慮する。格子３０４及びそれに対応する受信光線３０７、３０８、３０９、３１０を使用することにより、後部に対向する方向１１４に沿った複数の人が互いに近接している場合でも、それら複数の人の検出が可能となる。１つ以上の実施形態において、近接センサ部品１２１はまた、運動を検出するために、受信光線３０７、３０８、３０９、３１０における変化を検出することも可能である。
【００５９】
一実施形態において、受信光線３０７、３０８、３０９、３１０の画定を容易とし、及び／又は水や埃のシールとして機能するように、格子３０４の背後に、外側に、又は格子３０４と一体で、レンズを配置することができる。例えば、ポリカーボネート・レンズを格子３０４の背後に配置し、かつ受信光線の画定を容易とするために、５つ又は７つ等の所定数のスリットを有する複合フレネルレンズとして、このレンズを構成することができる。
【００６０】
先に説明したように、１つ以上の実施形態において、近接センサ部品１２１が物体３１１からの赤外線放出３０６を受信する場合に、アイウェア１００の１つ以上のプロセッサ（１１６）及び／又は電子装置２００の１つ以上のプロセッサ（２０３）は、制御動作を実行するように構成することができる。この例示的な実施形態において、近接センサ部品１２１が赤外線放出３０６を受信する場合には、アイウェア１００の１つ以上のプロセッサ（１１６）は、その無線通信装置（１２５）に、電子装置２００の無線通信装置２０６へ通知３１２を送信させる。そして、無線通信装置（２０６）が通知３１２を受信すると、電子装置の１つ以上のプロセッサ（２０３）が制御動作を実行する。この制御動作は、電子装置２００のディスプレイ２０２上にプロンプト３１３を提示することを含む。
【００６１】
プロンプト３１３は、様々な指標を含むことが可能である。ここでは、プロンプト３１３は、例えば「警告！あなたの背後に誰かいる！」と表示する。従って、もしユーザ３０１が通りを歩きながらニュース配信を読んでおり、ユーザ３０１が電子装置２００以外に何も注意を払っていない場合、プロンプト３１３は、ユーザ３０１に背後に人がいることを気付かせる。別の実施形態において、例えば、もし電子装置２００がユーザ３０１の背後にいる人のコンパニオン電子装置をそのユーザの友人として認識する場合、プロンプト３１３は「驚いた！友人がきみの背後にいる！」と表示し得る。更に別の実施形態において、例えば混雑した歩道の上で有用となり得るが、プロンプト３１３は、例えば「急げ！あなたの背後に多くの人がいる！」などのように、もっと速く歩く又は走るための指示を単に提示するかもしれない。これらの例は、単に例示的であり、他のことも、この開示の恩恵を受ける当業者には明らかである。
【００６２】
図４は、本開示の１つ以上の実施形態で使用するのに適した、１つの方法４００を例示している。ステップ４０１で示されるように、ユーザ３０１は、本開示の１つ以上の実施形態に従って構成されるアイウェア１００を装着している。また、ユーザ３０１は、コンパニオン電子装置２００を有している。なお、電子装置２００は任意であり、アイウェア１００の１つ以上のプロセッサ（１１６）は、電子装置２００がなくても制御動作を実行することが可能であり、これは、以下で説明する図についても同様である。
【００６３】
１つ以上の近接センサ部品（１２０，１２１）は、１つ以上のステム（１０２，１０３）の中に配置される。各近接センサ部品（１２０，１２１）は、赤外線信号受信器（１１７）を備え、ユーザ３０１の背後にいる人４０３のような物体からの赤外線放出３０６を受信する。
【００６４】
この例示的な実施形態において、第１ステム１０２の中に配置された第１近接センサ部品（１２０）は、第１方向４０６に少なくとも部分的に向けられた少なくとも第１受信光線４０４を画定する。同様に、第２近接センサ部品（１２１）は、第２方向４０７に少なくとも部分的に向けられた少なくとも第２受信光線４０５を画定する。ここで、第２方向４０７は第１方向４０６と異なり、これにより、アイウェア１００の１つ以上のプロセッサ（１１６）は、ユーザ３０１の背後にいる人４０３だけでなく、人４０３がユーザ３０１の背後のどこにいるかも決定することができる。
【００６５】
この場合、ステップ４０２に示されるように、制御動作４０８が実行され得る。一実施形態において、アイウェア１００の１つ以上のプロセッサ（１１６）は、制御動作４０８を実行する。例えば、アイウェア１００が音声出力装置（１３２）を含む場合、制御動作４０８は、近接センサ部品（１２１）の赤外線信号受信器（１１７）が人４０３からの赤外線放出３０６を受信したときに音声出力装置（１３２）に可聴音を放出させることを含み得る。この例は、図５に示される。
【００６６】
別の実施形態において、アイウェア１００が触覚装置（１３３）を含む場合、制御動作４０８は、近接センサ部品（１２１）の赤外線信号受信器（１１７）が人４０３からの赤外線放出３０６を受信したときに触覚装置（１３３）に触覚出力を送達させることを含み得る。この例は、図６に示される。
【００６７】
更に別の実施形態において、先の図３に示したように、制御動作４０８は、近接センサ部品（１２１）の赤外線信号受信器（１１７）が人４０３からの赤外線放出３０６を受信したときにアイウェア１００の無線通信装置（１２５）にコンパニオン電子装置２００への通知（３１２）を送信させることを含み得る。この例示的な実施形態において、赤外線放出３０６は、第２受信光線４０５に沿って受信され、第１受信光線４０４に沿っては受信されない。従って、アイウェア１００の１つ以上のプロセッサ（１１６）は、人４０３の方向を決定することができる。そのため、通知（３１２）は、赤外線放出３０６が第１受信光線４０４から受信されたのか、それとも第２受信光線４０５から受信されたのかについての指示を含み得る。電子装置２００は、例えば、電子装置２００のディスプレイ（２０２）上にプロンプト（３１３）を提示して、ユーザ３０１に左肩よりもむしろ右肩越しに見渡すように知らせる際に、この情報を使用することができる。
【００６８】
他の実施形態において、電子装置２００の１つ以上のプロセッサ（２０３）も制御動作４０８を実行可能である。一実施形態において、電子装置２００の１つ以上のプロセッサ（２０３）は、電子装置２００をロックすることによって制御動作４０８を実行することができる。このアクションは、電子装置２００のディスプレイ（２０２）の電源をオフにすることによって、電子装置２００を見るよりもむしろ顔を上げることをユーザ３０１に強いるものであってもよい。別の実施形態において、制御動作４０８は、電子装置２００のディスプレイ（２０２）上に提示される情報の可視性を少なくとも部分的に制限することを含むものであってもよく、これも同じ効果を奏するものとなる。赤外線放出３０６が受信される方向が知られる場合、制御動作４０８は、赤外線放出が受信された方向の指示をディスプレイ上のプロンプト（３１３）に提示することを含み得る。更に別の実施形態では、制御動作４０８は、１つ以上の通知メッセージをネットワーク上のサーバに送信することを含み得る。
【００６９】
他の制御動作４０８は、アイウェア１００の１つ以上のプロセッサ（１１６）と電子装置２００の１つ以上のプロセッサ（２０３）とのうちのいずれか又はその両方によって実行することができる。本開示の実施形態は、ユーザ３０１の背後にいる人４０３が脅威であり得る場合にユーザ３０１に危険が及ぶことを考慮する。本開示の実施形態は、わずかな驚きでの緊急状況が前兆無しに頻繁に生じることを考慮する。安全は最高の関心であるため、制御動作４０８は安全に関連したものとなり得る。例えば、一実施形態では、制御動作４０８は、電子装置２００のディスプレイ（２０２）を非アクティブにすることを含み得る。これは、実際上ではディスプレイ（２０２）が見えない状態とする。
【００７０】
別の実施形態において、制御動作４０８は、電子装置２００のユーザインターフェース（２０５）を非アクティブにすることを含み得る。これは、電子装置２００を任意のキーアクションに対して無反応にさせる。ディスプレイ（２０２）の非アクティブ化とユーザインターフェース（２０５）の非アクティブ化の組み合わせは、背後の人４０３（襲撃者であり得る）に対してあたかもバッテリ（２１２）が切れているかのように電子装置２００を見せる。また、ユーザインターフェースの非アクティブ化は、一般的技術を用いて電子装置２００の電源が切れないことを保証するように機能する。
【００７１】
一実施形態において、人４０３がユーザ３０１の背後で検出される場合、制御動作４０８は、位置情報をサーバ複合体に送信させることを含み得る。一実施形態において、制御動作４０８は、１つ以上のアクティブ状態のアプリケーションを終了させること、及び／又は、バッテリ（２１２）に蓄積されたエネルギーを節約するために電子装置上で起動している必須でないサービスを停止することを含み得る。
【００７２】
電子装置２００及び／又はアイウェアが、音声記録装置若しくは音声取り込み装置、又は、映像記録装置若しくは映像取り込み装置を含む場合には、人４０３がユーザ３０１の背後で検出される時、制御動作４０８は、これらの装置をアクティブにすることを含み得る。音声記録をメモリ（１１８，２０９）に格納することで、周囲環境において何が起こっているかの記録を取り込むための仮想的な「ブラックボックス」を形成することができる。取り込まれた音声又は映像は、サーバ複合体又は緊急職員に送信することができる。他の制御動作４０８は、この開示の恩恵を受ける当業者には明らかである。
【００７３】
アイウェア１００及びアイウェアシステム（３００）の基本的な理解に関して説明した。以下では、図５〜図１０を参照して、可能な幾つかの制御動作４０８をより詳細に例示する。図５において、アイウェア１００は、触覚装置（１３３）を備えている。１つ以上のプロセッサ（１１６）は、１つ以上の近接センサ部品（１１９）が物体３１１からの赤外線放出３０６を受信すると、制御動作４０８を実行するように動作可能である。この実施形態において、制御動作４０８は、１つ以上の近接センサ部品（１１９）の赤外線信号受信器（１１７）が物体３１１からの赤外線放出３０６を受信した場合に触覚装置（１３３）に触覚出力５０１を送達させることを含む。
【００７４】
一実施形態において、触覚出力５０１は、アイウェア１００の背後に位置する物体３１１までの距離に応じて出力される。例えば、物体３１１が１０フィート離れている場合、触覚出力５０１は、軽く叩くものであってもよい。しかしながら、物体が２フィート離れている場合、触覚出力５０１は、強い打撃を与えることであってもよい。
【００７５】
図６では、アイウェア１００は、音声出力装置（１３２）を備えている。上記したように、１つ以上のプロセッサ（１１６）は、１つ以上の近接センサ部品（１１９）が物体３１１からの赤外線放出３０６を受信すると、制御動作４０８を実行するように動作可能である。この実施形態において、制御動作４０８は、１つ以上の近接センサ部品（１１９）の赤外線信号受信器（１１７）が物体３１１からの赤外線放出３０６を受信した場合に音声出力装置（１３２）に可聴音６０１を放出させることを含む。
【００７６】
一実施形態において、可聴音６０１は、アイウェア１００の背後に位置している物体３１１までの距離に応じて放出される。例えば、物体３１１が１０フィート離れている場合、可聴音６０１は、小さなブザー音であってもよい。しかしながら、物体が２フィート離れている場合、可聴音６０１は、大きなノイズ音であってもよい。１つ以上の実施形態において、可聴音６０１は、音声からなるものであってもよい。例えば、可聴音６０１は「危ない！あなたのすぐ背後に誰かがいる」のようなメッセージであってもよい。
【００７７】
図７は、図５の触覚出力（５０１）又は図６の可聴音（６０１）が、距離に応じてどのように変化し得るかを例示する。１つ以上の実施形態において、（静止している人又は動いている人に対して）受信した赤外線放出の強度を検出することによって、アイウェア１００の１つ以上のプロセッサ（１１６）は、アイウェア１００から離れている人までの距離７０４、及び／又は、その人のより正確な位置を決定することが可能である。人４０３が特定の近接センサ部品（１２１）のより近くに位置している場合、人４０３に向けられた近接センサ部品によって受信された赤外線放出３０６は、他の近接センサ部品（１２０）によって受信された他の赤外線放出６０４よりも強い。この情報を使用して、１つ以上のプロセッサ（１１６）は、人４０３の位置をより正確に決定することができる。なお、アイウェア１００から離れている人４０３までの距離７０４を決定するために、各近接センサ部品（１２０，１２１）によって受信された赤外線放出の強度を使用することも可能である。
【００７８】
図７において、この情報は、距離７０４及び／又は場所に応じて、ユーザ３０１に通知を送達するために使用される。例として説明すると、ステップ７０１では、人４０３は、アイウェア１００を装着しているユーザ３０１から比較的離れた距離、例えば１０フィート以上にいる。従って、制御動作４０８は、距離７０４に応じて、第１レベル７０５による触覚出力（５０１）又は可聴音（６０１）を送達することを含む。
【００７９】
ステップ７０２では、人４０３はユーザ３０１から第２距離７０６にいる。この場合、距離７０６は距離７０４よりも小さい。例えば、距離７０６は約５フィートであってもよい。制御動作４０８は、減少した距離７０６に応じて、第２レベル７０７による増加した触覚出力（５０１）又は可聴音（６０１）を送達することを含む。ここで、第２レベル７０７は、第１レベル７０５よりも大きい。
【００８０】
ステップ７０３では、人４０３はユーザ３０１のすぐ背後にいる。制御動作４０８は、例えば、２フィート以下の比較的短い距離７０８に応じて、第３レベル７０９による更に増加した触覚出力（５０１）又は可聴音（６０１）を送達することを含む。ここで、第３レベル７０９は、第１レベル７０５及び第２レベル７０７のいずれよりも大きい。
【００８１】
図８は、ユーザ３０１の背後にいる人４０３を検出するアイウェア１００の近接センサ部品（１２０，１２１）に応答して、電子装置２００上で制御動作４０８を実行する方法を例示する。ステップ８０１では、ユーザ３０１の背後には誰もいない。電子装置２００は通常通り動作しており、ユーザ３０１は、ディスプレイ２０２上で彼女の犬の写真８０３を見ることが可能である。
【００８２】
ステップ８０２では、近接センサ部品（１２０，１２１）によってユーザ３０１の背後の人４０３が検出される。この実施形態において、近接センサ部品（１２１）の赤外線信号受信器（１１７）が人４０３からの赤外線放出３０６を受信すると、アイウェア１００の無線通信装置（１２５）は、電子装置２００に通知（３１２）を送信する。ステップ８０２の制御動作４０８は、電子装置２００の１つ以上のプロセッサ（２０３）がディスプレイ２０２上に提示される情報の可視性を少なくとも部分的に制限するというものである。ここで、電子装置２００の１つ以上のプロセッサ（２０３）は、犬の写真８０３上に、ぼんやりした挿し絵８０４を提示している。これは、ユーザ３０１に、誰かが彼女の背後にいるため、電子装置２００よりむしろそれらに注意を払うべきである、というアラートを与えている。もちろん、電子装置２００の１つ以上のプロセッサ（２０３）は、電子装置２００の電源を単に切ることも可能である。
【００８３】
図９では、制御動作４０８は、電子装置２００のディスプレイ２０２上に指示９０１を提示することを含む。この指示９０１は、赤外線放出が受信された方向から、ユーザ３０１の背後の人４０３の位置を示すものである。上記したように、１つ以上の実施形態において、近接センサ部品（１２０，１２１）は、どの近接センサ部品（１２０，１２１）又はどの受信光線（３０７，３０８，３０９，３１０）が最も強い赤外線放出を受信するかを検出することによって方向を決定することができる。図９の電子装置２００は、ディスプレイ２０２上に指示９０１を提示するように構成されるアプリケーションを備え、この指示９０１は、人４０３がどこにいるかを示し、この場合は、人４０３が背後でしかも右側にいることを示している。
【００８４】
指示９０１は、場所に基づいて変化するものであってもよい。例えば、人４０３が近づいて来る場合、ディスプレイ２０２上の指示９０１を大きくしてもよい。他の技術も同様に使用することができる。例えば、人４０３が近づいて来る場合、ディスプレイ２０２上の指示９０１を濃くしてもよい。なお、この例示的な指示９０１は、ディスプレイ２０２上の角部に提示されているが、この角部は、人４０３がユーザ３０１に対してどこにいるかに対応している。従って、もし人４０３が移動してユーザの左により近づくと、それに対応する指示９０１も同様に移動する。
【００８５】
図１０は、１つの追加的な制御動作４０８を例示している。ここでは、人４０３が近接センサ部品（１２０，１２１）によってユーザ３０１の背後で検出される場合、電子装置２００の１つ以上のプロセッサ（２０３）は、電子装置２００をロックする制御動作４０８を単に実行する。上記実施形態と同様に、この制御動作４０８は、ユーザ３０１に対して、誰かが彼女の背後にいるため、電子装置２００よりむしろそれらに注意を払うべきである、というアラートを与えるものである。
【００８６】
上記したように、図４〜図１０の例示的な制御動作４０８は、多数の制御動作についての例として提供されている。これら多数の制御動作は、本開示の実施形態に従って構成されたアイウェア１００又はアイウェアシステム３００によって実施することが可能であり、それらが限定的であることは意図されていない。他の多くの制御動作がこの開示の恩恵を受ける当業者には明らかである。
【００８７】
本開示の特定の実施形態について説明したが、当業者であれば理解し得るように、特許請求の範囲の記載に従って、本開示の範囲から逸脱することなく、様々な変形及び変更を行うことが可能である。従って、本開示の好ましい実施形態が例示されると共に説明された一方で、本開示が限定的でないことは明らかである。当業者であれば、特許請求の範囲によって定義される本開示の思想及び範囲から逸脱することなく、数多くの修正例、変更例、変形例、代用例、及び等価例を実施し得る。従って、明細書及び図面は、限定的よりむしろ例示的な意味において考慮されるべきであり、全てのそのような変更は、本開示の範囲内に含まれることが意図されている。恩恵、利点、問題に対する解決法、及び、任意の恩恵、利益、若しくは解決法を生じさせる、又はより顕著にさせる任意の要素は、任意の又は全ての請求項の、重要な、必要な、若しくは必須の特徴、又は要素であると解釈されるべきではない。本開示は、請求項によってのみ定義される。
【図１】
0006414711.tif 000002
【図２】
0006414711.tif 000003
【図３】
0006414711.tif 000004
【図４】
0006414711.tif 000005
【図５】
0006414711.tif 000006
【図６】
0006414711.tif 000007
【図７】
0006414711.tif 000008
【図８】
0006414711.tif 000009
【図９】
0006414711.tif 000010
【図１０】
0006414711.tif 000011